(57)【要約】【課題】番組に対する注目を上げ、また、広告の効果を上げる。【解決手段】番組の出力を行なう番組出力部１０１で出力される番組と関連付けられた情報の検索を行なう番組情報検索部１０２と、番組情報検索部１０２での検索に基づいて広告情報の視聴をさせるための出力を行なう広告情報出力部１０３と、広告情報の出力に基づいて広告情報の視聴者に与えるポイントを算定するポイント算定部と、を備える広告情報出力装置１００を提供する。【選択図】　図１
2004013419.tif 000002
【特許請求の範囲】
【請求項１】
番組の出力を行なう番組出力部と、
番組出力部で出力される番組と関連付けられた情報の検索を行なうための番組情報検索部と、
前記番組情報検索部での検索に基づいて広告情報の視聴をさせるための出力を行なう広告情報出力部と、
広告情報出力部での広告情報の出力に基づいて広告情報の視聴者に与えるポイントを算定するためのポイント算定部と、
を備える広告情報出力装置。
【請求項２】
番組の出力スケジュールを有する番組出力スケジュール保持部と、広告情報出力部からの広告情報の出力時刻である広告時刻情報を取得する広告出力時刻取得部と、
広告出力時刻取得部で取得した広告時刻情報と、その広告情報の出力をした検索に関連付けられた番組の前記番組スケジュール保持部で保持されている出力スケジュールの時刻とを比較する出力時刻比較部と、
を備え、
前記ポイント算定部は、出力時刻比較部での比較結果に基づいてポイントの算定を行なう時刻比較ポイント算定手段を備える請求項１に記載の広告情報出力装置。
【請求項３】
番組の出力スケジュールを有する番組出力スケジュール保持部と、広告情報出力部から出力される広告情報に対する視聴者からの応答入力の入力時刻である応答入力時刻情報を取得する応答入力時刻取得部と、
応答入力時刻取得部で取得した応答入力時刻情報と、その広告情報の出力をした検索に関連付けられた番組の前記番組スケジュール保持部で保持されている出力スケジュールの時刻とを比較する出力時刻比較部と、
を備え、
前記ポイント算定部は、出力時刻比較部での比較結果に基づいてポイントの算定を行なう時刻比較ポイント算定手段を備える請求項１に記載の広告情報出力装置。
【請求項４】
前記時刻比較ポイント算定手段でのポイント算定結果の出力後に、前記広告情報の視聴者に対して、視聴者を識別するための情報である視聴者識別情報を含む視聴者の個人情報の入力を促す個人情報入力促進部と、
前記個人情報入力促進部で入力された個人情報に基づいて前記ポイント算定結果と、視聴者を識別するための情報である視聴者識別情報とを関連付けて蓄積する視聴者個人情報蓄積部と、
を有する請求項２または請求項３に記載の広告情報出力装置。
【請求項５】
前記視聴者の個人情報に基づいて、ポイントの算定が行なわれたことを示す情報である算定情報を、前記視聴者に対して通知する算定情報通知部を有する請求項４に記載の広告情報出力装置。
【請求項６】
前記視聴者の個人情報に基づいて、関連付けられた前記算定結果を含む算定結果情報を、前記視聴者に対して通知する算定結果通知部を有する請求項４に記載の広告情報出力装置。
【請求項７】
前記算定結果通知部で通知される算定結果情報には、その算定結果に関連付けられた視聴者の過去の算定結果に基づく累計ポイントに関する情報である累計ポイント情報が含まれる請求項６に記載の広告情報出力装置。
【請求項８】
前記時刻比較ポイント算定手段でのポイントの算定は、前記出力時刻比較部で得られる比較結果に基づいて番組終了時刻経過後の経過時間に応じて段階的に定められたポイント算定用定数を利用して算定される請求項３から７のいずれか一に記載の広告情報出力装置。
【請求項９】
前記時刻比較ポイント算定手段でのポイントの算定は、前記出力時刻比較部で得られる比較結果に基づいて番組の開始までの時間に応じて段階的に定められたポイント算定用定数を利用して算定される請求項３から８のいずれか一に記載の広告情報出力装置。
【請求項１０】
番組の出力を行なう番組出力ステップと、
番組出力ステップにて出力される番組と関連付けられた情報の検索を行なうための番組情報検索ステップと、
前記番組情報検索ステップにおける検索に基づいて広告情報の視聴をさせるための出力を行なう広告情報出力ステップと、
広告情報出力ステップにおける広告情報の出力に基づいて広告情報の視聴者に与えるポイントを算定するためのポイント算定ステップと、
を含む広告情報出力方法。
【発明の詳細な説明】
【０００１】
【発明の属する技術分野】
本発明は、番組に関する情報検索に関連して広告情報を出力し、広告情報の出力に基づいてポイントを算定する広告情報出力装置に関する。
【０００２】
【従来の技術】
テレビ局などの放送局が開設するホームページにおいて、番組の情報を検索できるようにすることが行なわれている。
【０００３】
また、インターネットにおいて、広告を利用者が見ることにより、その利用者にポイントを与えることが行なわれている。
【０００４】
【発明が解決しようとする課題】
放送局が開設するウェブページで番組の情報を検索することができるようにし、検索で得られるウェブページに広告が表示されているとしても、利用者は知りたいことが得られるとそれで満足し、広告を見ようとしない。また、番組中にウェブページの紹介を行なうことがあるが、ユーザにそのウェブページを見る気にさせる場合は予想されるほど多くはないのが現状である。
【０００５】
また、広告を見ることにより、利用者にポイントを与えるサービスでは、利用者の動機付けは、ポイントを得ることだけであり、広告を見ることを目的にしていない。このため、広告効果は高いとは言えないのが現状である。
【０００６】
【課題を解決するための手段】
これらの課題を解決するために、本発明は、出力される番組と関連付けた情報の検索を行なって、その検索に基づいて広告情報の視聴をさせるための出力を行ない、その広告情報の視聴に基づいて視聴者に与えるポイントを算定する広告情報出力装置を提供する。これにより、視聴者は、番組の情報を得るということと、ポイントを得ることとの二重の動機付けによって、番組のホームページを見るようになり、広告効果が高まることになる。
【０００７】
また、番組の出力の時刻と広告を見た時刻とを比較し、その比較の結果に応じてポイントを算定することにより、視聴者に本発明の広告情報出力装置の利用を動機付けることが可能となる。
【０００８】
【発明の実施の形態】
以下、本発明の実施の形態について、図を用いて説明する。なお、本発明は、これら実施の形態に何ら限定されるものではなく、その要旨を逸脱しない範囲において、種々なる態様で実施し得る。
【０００９】
（実施形態１）
本発明の実施形態１においては、出力される番組と関連付けた情報の検索を行なって、その検索に基づいて広告情報の視聴をさせるための出力を行ない、その広告情報の視聴に基づいて視聴者に与えるポイントを算定する広告情報出力装置が提供される。
【００１０】
（実施形態１：構成）
図１は、本実施形態における広告情報出力装置の機能ブロック図を例示する。広告情報出力装置１００は、番組出力部１０１と、番組情報検索部１０２と、広告情報出力部１０３と、ポイント算定部１０４と、を備える。
【００１１】
「番組出力部」１０１は、番組の出力を行なう。例えば、テレビ局やラジオ局などの放送局において、テレビ番組やラジオ番組の送出を行なう部分が番組出力部に相当する。番組は、電波を使用した通常の放送として出力されるのみならず、有線放送による放送として出力されたり、街頭での街頭放送として出力されたりするものを含む。また、従来のテレビ局やラジオ局以外に、インターネットによって同時に、あるいは、オンデマンドで動画、静止画、音声を視聴させるサーバ装置も番組出力部に含まれる。
【００１２】
「番組情報検索部」１０２は、番組出力部１０１で出力される番組と関連付けられた情報の検索を行なう。「番組と関連付けられた情報」とは、番組と関係のある情報である。例えば、放送日時、出演者、番組中のコーナーの内容、番組のスポンサー、番組中に流されるコマーシャルに関係した情報、テーマ音楽の製作者や演奏者・楽譜・歌詞、懸賞の応募先、公開収録の場所日時、番組中で紹介された場所や店舗に関する情報などがある。番組情報検索部は、例えば、入力されたキーワードによって、このような番組に関する情報の検索を行なう。また、キーワードなどの検索条件を入力しなくても、番組に関する情報が格納されている場所を指し示すもの（例えばＵＲＬ（Ｕｎｉｆｏｒｍ　Ｒｅｓｏｕｒｃｅ　Ｌｏｃａｔｏｒ））を入力して情報を得ることも、ここでいう情報の検索に含めるものとする。
【００１３】
「広告情報出力部」１０３は、番組情報検索部１０２での検索に基づいて広告情報の視聴をさせるための出力を行なう。例えば、番組情報検索部１０２に入力されたキーワードに関連のある広告情報を出力する。また、検索の結果に応じてその検索の結果に関連する広告情報を出力するようにしてもよい。例えば、出演者の検索を行なった場合に、その出演者が出演している映画などの広告の情報を検索の結果とともに出力するようにしてもよい。
【００１４】
また、広告情報には、別の番組の広告を表示するための情報であってもよい。例えば、あるドラマ番組についての情報検索が行なわれる場合に、別のドラマ番組の広告情報が出力され、視聴者に別のドラマ番組に注目してもらうようにしてもよい。
【００１５】
「ポイント算定部」１０４は、広告情報出力部１０３での広告情報の出力に基づいて広告情報の視聴者に与えるポイントを算定する。例えば、視聴者が広告情報を視聴した長さに応じてポイントを与える場合には、長く視聴するほど多くのポイントを与えるように算定が行なわれる。また、広告情報ごとにポイントを決めておき、視聴者が視聴した広告情報に対して決められたポイントを与えるようにしてもよい。
【００１６】
なお、「ポイント」とは点数であり、例えば、貯めたり、他人に譲渡、あるいは別の物と交換したりすることができるものである。ポイントを貯めることにより、貯めた点数に応じて特典が得られたりする。例えば、ポイントを貯めることにより、番組特製のカードが得られたり、割引であるいは無料で商品が購入できたりする。また、他人に金銭と交換するために譲渡することができるようになっていてもよい。
【００１７】
（実施形態１：動作）
図２は、本実施形態の広告情報出力装置の動作を説明するフローチャートを例示する。
【００１８】
ステップＳ２０１において、番組と関連付けられた情報の検索を、番組情報検索部１０２にて、行なう。
【００１９】
ステップＳ２０２において、検索に基づいて広告情報の出力を、広告情報出力部１０３にて、行なう。
【００２０】
ステップＳ２０３において、ポイントを算定することを、ポイント算定部にて、行なう。
【００２１】
広告情報出力装置は、ステップＳ２０１からステップＳ２０３までを必要に応じて実行する。例えば、検索のためのキーワードが受け付られることをきっかけとして、広告情報出力装置はステップＳ２０１からの処理を実行する。
【００２２】
（実施形態１：番組情報システムに組み込んだ例）
図３は、本実施形態の広告情報出力装置１００を番組情報システム３００に組み込んだ例を示す。
【００２３】
番組情報システム３００は、インターネットなどの通信網を介して視聴者の端末（図示せず）に接続される。
【００２４】
番組情報システムの番組情報蓄積部３０１は、番組出力部１０１で出力される番組を保持し、また、番組と関連付けられた情報を蓄積する。
【００２５】
検索条件受付部３０２は、端末からの検索条件を受け付けて、番組情報検索部１０２に検索条件を出力する。番組情報検索部１０２は、番組情報蓄積部３０１に蓄積されている番組と関連付けられた情報を検索して、得られた結果を検索結果出力部３０３に渡す。
【００２６】
検索結果出力部３０３は、番組情報検索部１０２からの検索の結果と、広告情報出力部１０３から出力される広告情報とを端末へ出力する。
【００２７】
（実施形態１：効果）
本実施形態によれば、視聴者は、番組の情報を得るのみならず、広告を見ることによりポイントを得られるという二重の利益を得られるので、視聴者は番組情報を検索することが動機付けられ、番組の視聴率が上がり、また、広告の効果が上がる。
【００２８】
（実施形態２）
本発明の実施形態２においては、番組の出力スケジュールと広告情報が出力された時刻との比較に基づいてポイントが算定される。
【００２９】
（実施形態２：構成）
図４は、本実施形態における広告情報出力装置の機能ブロック図を例示する。本実施形態の広告情報出力装置１００は、実施形態１の広告情報出力装置が番組スケジュール保持部４０１と、広告出力時刻取得部４０２と、出力時刻比較部４０３と、を更に備え、また、ポイント算定部１０４が、時刻比較ポイント算出手段４０４を備えている。
【００３０】
「番組スケジュール保持部」４０１は、番組の出力スケジュールを有する。すなわち、番組出力部１０１より番組が出力される時刻、あるいは、出力された時刻、を保持する。なお、上述のインターネットを用いた放送において、オンデマンドで、すなわち、視聴者からの要求によって放送が行なわれる場合には、番組が実際に出力された時刻、あるいは、番組が出力可能となる時刻が番組スケジュール保持部４０１で保持されていてもよい。
【００３１】
「広告出力時刻取得部」４０２は、広告時刻情報を取得する。「広告時刻情報」とは、広告情報出力部１０３からの広告情報の出力時刻である。
【００３２】
「出力時刻比較部」４０３は、広告出力時刻取得部４０２で取得した広告時刻情報と、その広告情報の出力をした検索に関連付けられた番組の番組スケジュール保持部４０１で保持されている出力スケジュールの時刻とを比較する。「その広告情報の出力をした検索に関連付けられた番組」とは、検索により広告時刻情報が示す時刻に広告情報が出力されることになった、その検索が行なわれた番組を意味する。
【００３３】
例えば、広告情報出力部１０３は、どの番組に関する検索が行なわれたかを示す番組名を番組情報検索部１０２より取得し、広告時刻情報と番組名とを広告出力時刻取得部４０２へ出力する。広告出力時刻取得部４０２は、広告時刻情報と番組名とを出力時刻比較部４０３へ出力する。出力時刻比較部４０３は、番組名を番組スケジュール保持部４０１へ出力し、その番組名の番組の出力スケジュールを取得する。そして、広告時刻情報と出力スケジュールを比較する。
【００３４】
「時刻比較ポイント算定手段」４０４は、出力時刻比較部４０３での比較結果に基づいてポイントの算定を行なう。この比較結果は、広告時刻情報の示す時刻が、番組の出力スケジュールの時刻からのどれだけの時間差があるかを示す場合、あるいは、広告時刻情報の示す時刻が、番組の出力スケジュールの時刻からの特定の時間だけ離れた時間帯に属するかどうかを示す場合などがある。
【００３５】
ポイントの算定の仕方としては、例えば、比較結果が、番組が出力されて間もない、あるいは、番組が出力されている最中に広告情報が出力されたものである場合には、検索が番組を見ている人によって行なわれたと見なして、ポイントを高く算定し、番組の出力が終わってからの時刻が経過するにつれてポイントを低く算定するものがある。
【００３６】
（実施形態２：動作）
図５は、広告情報出力装置の本実施形態に特有の動作を説明するフローチャートを例示する。
【００３７】
ステップＳ５０１において、広告時刻情報を、広告出力時刻取得部４０２にて、取得する。
【００３８】
ステップＳ５０２において、出力スケジュールの時刻を、出力時刻比較部４０３にて、番組スケジュール保持部４０１より、取得する。
【００３９】
ステップＳ５０３において、広告時刻情報と出力スケジュールの時刻を、出力時刻比較部４０３にて、比較する。
【００４０】
ステップＳ５０４において、比較結果に基づいて、時刻比較ポイント算出手段にて、ポイントを算定する。
【００４１】
広告情報出力装置１００は、広告情報を出力するごとに、ステップＳ５０１からステップＳ５０４までを実行する。
【００４２】
（実施形態２：効果）
本実施形態によれば、番組の出力スケジュールと広告時刻情報との比較結果に応じてポイントを算定できるので、視聴者に番組を注目してもらうことができる。
【００４３】
（実施形態３）
本発明の実施形態３においては、利用者が広告を見た時刻と番組の出力スケジュールを比較してポイントが算定される。
【００４４】
（実施形態３：構成）
図６は、本実施形態の広告情報出力装置の機能ブロック図を例示する。本実施形態の広告情報出力装置１００は、実施形態１の広告情報出力装置が、番組スケジュール保持部６０１と、応答入力時刻取得部６０２と、出力時刻比較部６０３と、を更に備え、ポイント算定部１０４が、時刻比較ポイント算出手段６０４を備えている。
【００４５】
「番組スケジュール保持部」６０１は、番組の出力スケジュールを有する。すなわち、番組出力部１０１より番組が出力される時刻、あるいは、出力された時刻を保持する。なお、インターネットを用いた放送では、視聴者からの要求によって放送が行なわれる場合には、番組が出力された時刻、あるいは、番組の出力が可能となる時刻が番組スケジュール保持部６０１で保持されていてもよい。
【００４６】
「応答入力時刻取得部」６０２は、応答入力時刻情報を取得する。「応答入力時刻情報」とは、広告情報出力部１０３から出力される広告情報に対する視聴者からの応答入力の入力時刻である。「応答入力」とは、視聴者が広告情報を見たことに対して反応したことを示す情報の入力である。例えば、広告をクリックしたこと、あるいは、住所氏名を入力して送信ボタンを押したこと、などを示す情報の入力である。広告情報に一意の番号を付けておき、広告をクリックすると、あるいは、送信ボタンを押すと、その一意の番号が本実施形態における広告情報出力装置に送信されるようにしておけば、どの広告情報に対して応答入力がされたかを検出することが可能となる。
【００４７】
「出力時刻比較部」６０３は、応答入力時刻取得部６０２で取得した応答入力時刻情報と、その広告情報を出力することとなった検索に関連付けられた番組の番組スケジュール保持部６０１で保持されている出力スケジュールの時刻とを比較する。
【００４８】
例えば、広告情報出力部１０３は、どの番組に関する検索が行なわれたかを示す番組名を番組情報検索部１０２より取得し、広告情報に付けられた一意の番号と番組名とを応答入力時刻取得部６０２へ出力する。応答入力時刻取得部６０２は、応答入力を取得すると、その応答入力から広告情報に付された一意の番号を取り出し、どの番組の検索に応じて出力された広告情報に対する応答入力であるかを決定し、番組名と応答入力時刻情報を出力時刻比較部６０３へ出力する。出力時刻比較部６０３は、番組名を番組スケジュール保持部６０１へ出力し、その番組名の番組の出力スケジュールを取得する。そして、応答入力時刻情報と出力スケジュールを比較する。
【００４９】
「時刻比較ポイント算定手段」６０４は、出力時刻比較部６０３での比較結果に基づいてポイントの算定を行なう。例えば、比較結果が、番組が出力されて間もない、あるいは、番組が出力されている最中に応答入力がされたことを示す場合には、検索が番組を見ている人によって行なわれたと見なして、ポイントを高く算定し、番組の出力が終わってからの時刻が経過するにつれてポイントを低く算定する。
【００５０】
（実施形態３：動作）
図７は、広告情報出力装置の本実施形態に特有の動作を説明するフローチャートを例示する。
【００５１】
ステップＳ７０１において、応答入力事項情報を、応答入力時刻取得部６０２にて取得する。
【００５２】
ステップＳ７０２において、出力スケジュールの時刻を、出力時刻比較部６０３にて、取得する。
【００５３】
ステップＳ７０３において、出力時刻比較部６０３にて、応答入力時刻情報と出力スケジュールの時刻とを比較する。
【００５４】
ステップＳ７０４において、比較結果に基づいて、時刻比較ポイント算出手段６０４にて、ポイントを算定する。
【００５５】
本実施形態の広告情報出力装置は、応答入力を取得するたびに、ステップＳ７０１からステップＳ７０４までを実行する。
【００５６】
（実施形態３：効果）
本実施形態によれば、広告情報に対する応答入力に基づいてポイントが算定されるので、広告情報を視聴した視聴者に対してポイントが算定でき、広告の効果を高めることができる。
【００５７】
（実施形態４）
本発明の実施形態４においては、ポイントの算定後に広告情報の視聴者は、視聴者を識別する情報の入力を促され、入力された情報が蓄積される。
【００５８】
図８は、本実施形態において、視聴者に提示される画面の遷移を例示している。まず、視聴者が、番組と関連付けられた情報の検索を行なった結果が検索結果画面８０１として示される。この検索結果画面８０１には、広告情報も表示されてもよいし、ポイントの算定の結果が表示されていてもよい。
【００５９】
視聴者がボタン８０２を押すと、個人情報入力画面８０３が提示され、視聴者が個人情報を入力し、ボタン８０４を押すと、入力された個人情報が広告情報出力装置に送信され、蓄積される。
【００６０】
（実施形態４：構成）
図９は、本実施形態における広告情報出力装置の機能ブロック図を例示している。本実施形態における広告情報出力装置１００は、実施形態２または３の広告情報出力装置が、個人情報入力促進部９０３と、視聴者個人情報蓄積部９０４と、を更に備えているようにしたものである。
【００６１】
「個人情報入力促進部」９０３は、広告情報視聴者に対して、視聴者識別情報を含む視聴者の個人情報の入力を促す。「視聴者識別情報」とは、視聴者を識別するための情報である。例えば、視聴者を特定するための識別子である。個人情報とは、視聴者の個人的な事項に関する情報である。個人情報に含まれる事項としては、氏名、年齢、住所、電話番号、最終学歴、年収、勤務先、趣味などある。
【００６２】
なお、個人情報入力促進部９０３は、時刻比較ポイント算定手段９０２でのポイント算定結果の出力の後に、個人情報の入力を促すようにしてもよい。また、初めて個人情報を入力する視聴者のために、視聴者識別情報を空欄にして入力がされた場合には、視聴者識別情報を割り当てて、それを視聴者に通知するようにしてもよい。
【００６３】
「視聴者個人情報蓄積部」９０４は、個人情報入力促進部９０３で入力された個人情報に基づいて、前記ポイント算定結果と視聴者識別情報とを関連付けて蓄積する。例えば、関係データベース管理システムのように、視聴者識別情報の列とポイント算定結果の列とを含む表の形式にして蓄積するようにしてもよい。また、ポイントと視聴者識別情報以外に、個人情報入力促進部９０３で入力を促した個人情報を関連付けて蓄積するようにしてもよい。
【００６４】
（実施形態４：動作）
図１０は、広告情報出力装置１００の本実施形態に特有の動作を説明するフローチャートを例示する。このフローチャートは、広告情報出力装置が、実施形態３を基にした場合の動作を例示している。
【００６５】
ステップＳ１００１において、応答入力がされるまで待つ。
【００６６】
ステップＳ１００２において、個人情報入力画面を、個人情報入力促進部９０３にて、行なう。
【００６７】
ステップＳ１００３において、個人情報入力画面に入力された個人情報を取得する。例えば、ＨＴＴＰプロトコルを用いる場合には、ＣＧＩの機能を用いることにより取得することができる。
【００６８】
ステップＳ１００４において、個人情報に含まれる視聴者識別情報を取得する。
【００６９】
ステップＳ１００５において、ポイントの算定結果と視聴者識別情報とを関連付けて蓄積する。なお、視聴者識別情報以外にも、個人情報として入力された他の項目を関連付けて蓄積してもよい。
【００７０】
広告情報出力装置は、応答入力を取得するたびに、ステップＳ１００１からステップＳ１００５を実行する。
【００７１】
（実施形態４：効果）
本実施形態によれば、どのような属性を持った視聴者が番組に関連付けられた情報を検索し、広告を見たかを知ることができる。これにより、本実施形態の広告情報出力装置をマーケティングに応用することが可能となる。
【００７２】
（実施形態５）
本発明の実施形態５においては、ポイントの算定が行なわれたことが視聴者に対して通知される。
【００７３】
（実施形態５：構成）
図１１は、本実施形態の広告情報出力装置の機能ブロック図を例示する。本実施形態において、広告情報出力装置１００は、実施形態４の広告情報出力装置が更に算定情報通知部１１０１を有する。
【００７４】
「算定情報通知部」１１０１は、視聴者の個人情報に基づいて算定情報を視聴者に対して通知する。「算定情報」とは、ポイントの算定が行なわれたことを示す情報である。
【００７５】
広告情報出力装置に、視聴者の個人情報として、視聴者の住所と氏名が入力される場合には、それに基づいて、算定情報通知部１１０１は、算定情報を印刷した印刷物を郵便や宅配便などによって算定情報を通知してもよい。
【００７６】
また、図１２に示すように、個人情報入力画面１２０３が表示され、個人情報が入力されてボタン１２０４が押された後に、「ポイントが算定されました」旨の表示が行なわれる画面１２０５が表示されるようになっていてもよい。
【００７７】
（実施形態５：効果）
本実施形態によれば、算定情報が表示されるので、視聴者は、どれだけのポイントが算定されたか、また、どれだけのポイントが蓄積されたかを知りたくなり、再び、本実施形態の広告情報出力装置にアクセスを行なう動機付けが行なわれる。結果として、番組の知名度や、広告の効果を高めることができる。
【００７８】
（実施形態６）
本発明の実施形態６においては、ポイントの算定を含む情報が視聴者に対して通知される。
【００７９】
（実施形態６：構成）
図１３は、本実施形態における広告情報出力装置の機能ブロック図を例示する。本実施形態において、広告情報出力装置１００は、実施形態４の広告情報出力装置が算定結果通知部１３０１を更に備えたものである。
【００８０】
「算定結果通知部」１３０１は、視聴者の個人情報に基づいて、算定結果情報を視聴者に対して通知する。「算定結果情報」とは、関連付けられた算定結果を含む情報である。「関連付けられた算定結果」とは、視聴者の個人情報に含まれる視聴者識別情報に関連付けられたポイントの算定結果である。例えば、その視聴者が広告情報を視聴することにより算定されたポイント、あるいは、今までのポイントの累計であってもよい。
【００８１】
（実施形態６：画面の遷移の例）
図１４は、本実施形態における視聴者に対して提示される画面の遷移の例を示す。まず、検索結果画面１４０１が提示される。ボタン１４０２が押されると、個人情報入力画面１４０３が提示される。個人情報の入力が終わり、ボタン１４０４が押されると、算定結果情報が表示された画面１４０５が提示される。
【００８２】
（実施形態６：効果）
本実施形態によれば、ポイントの算定結果が視聴者に通知されるので、視聴者は、ポイントに注意を払うようになり、より多くのポイントを獲得するために番組に関連付けられた情報を検索したり、広告を視聴したりするようになる。
【００８３】
（実施形態７）
本発明の実施形態７においては、視聴者には、ポイントの累計が通知される。
【００８４】
すなわち、実施形態６において、算定結果通知部１３０１で通知される算定結果情報には、累計ポイント情報が含まれる。「累計ポイント情報」とは、その算定結果に関連付けられた視聴者の過去の算定結果に基づく累計ポイントに関する情報である。
【００８５】
これにより、視聴者は、累計ポイントが通知されるので、より多くのポイントが累計されるように行動するようになり、番組の知名度が上がったり、広告の効果が上がったりする。
【００８６】
（実施形態８）
本実施形態においては、番組終了後に算定されるポイントが番組の終了から段階的に変化する。
【００８７】
すなわち、実施形態２から７のいずれかの実施形態において、時刻比較ポイント算定手段９０２でのポイントの算定は、出力時刻比較部９０１で得られる比較結果に基づいてポイント算定用定数を利用して算定されるようにしたのが本実施形態である。
【００８８】
「ポイント算定用定数」とは、番組終了時刻経過後の経過時間に応じて段階的に定められた定数である。「段階的に定められた定数」とは、瞬間的にあるいは短時間の間に値が変化し、その後ある程度の長さを有する時間の間は一定の値を維持する値のことである。
【００８９】
例えば、ポイント算定用定数は、ポイントそのものである場合がある。この場合、例えば、一時間が経過するごとに所定の割合（例えば１０パーセントずつ）低くなっていくものであってもよい。また、一定のポイントだけ小さくなるようになっていてもよい。
【００９０】
また、ポイント算定用定数は、０以上１以下の数であり、時刻比較ポイント算定部は、基本となるポイントとポイント算定用定数との積を計算することにより、ポイントを算定するようにしてもよい。
【００９１】
（実施形態８：効果）
本実施形態によれば、ポイント算定に用いられるポイント算定用定数の値を段階的に変化することにより、番組に対する注目を変化させることができる。例えば、放送終了直後は低いポイントが算定されるようにポイント算定用定数を設定しておき、次の放送が始まる前に段階的にポイントを上げることにより、番組に対する注目の度合いを段階的に引き上げることが可能となる。
【００９２】
（実施形態９）
本発明の実施形態９は、ポイントの算定が番組の開始までの時間に応じて段階的に変化する。
【００９３】
すなわち、実施形態２から８のいずれかの実施形態において、時刻比較ポイント算定手段９０２でのポイントの算定は、出力時刻比較部９０１で得られる比較結果に基づいてポイント算定用定数を利用して算定されるようにしたのが本実施形態である。
【００９４】
実施形態８においては、ポイント算定用定数は、番組終了時刻経過後の経過時間に応じて段階的に定められた定数であるが、本実施形態においては、番組の開始までの時間に応じて段階的に定められた定数である。なお、本実施形態は実施形態２から実施形態８のいずれかの実施形態を基にしている。その中で、特に実施形態８を基にする場合には、ポイント算定用定数は、番組の開始前と終了後からの時間に応じて定められたものになる。また、番組の開始から終了後までの時間に応じて段階的にポイント算定用定数を定めることも可能である。
【００９５】
（実施形態９：効果）
本実施形態によれば、番組開始までの時間に応じて段階的にポイント算定用定数が定められるので、番組についての視聴者の期待を盛り上げることができるようになる。
【００９６】
（実施形態１０）
本発明の実施形態１０は、広告情報出力方法である。本実施形態において、広告情報出力方法は、番組出力ステップと、番組情報検索ステップと、広告情報出力ステップと、ポイント算定ステップと、を含む。
【００９７】
「番組出力ステップ」は、番組の出力を行なうステップである。
【００９８】
「番組情報検索ステップ」は、番組出力ステップにて出力される番組と関連付けられた情報の検索を行なうためのステップである。
【００９９】
「広告情報出力ステップ」は、番組情報検索ステップにおける検索に基づいて広告情報視聴をさせるための出力を行なうステップである。
【０１００】
「ポイント算定ステップ」は、広告情報出力ステップにおける広告情報の出力に基づいて広告情報の視聴者に与えるポイントを算定するためのステップである。
【０１０１】
したがって、本実施形態における広告情報出力方法は、例えば、実施形態１における広告情報出力装置にて用いられる方法と言うことができる。
【０１０２】
【発明の効果】
以上のように本発明によれば、視聴者は、番組の情報を得るということと、ポイントを得ることとの二重の動機付けによって、番組の情報検索を行なうようになり、番組への注目と広告効果とが高まることになる。
【図面の簡単な説明】
【図１】実施形態１における広告情報出力装置の機能ブロック図
【図２】実施形態１における広告情報出力装置の動作を説明するフローチャート
【図３】実施形態１の広告情報出力装置を番組情報システムに組み込んだ機能ブロック図
【図４】実施形態２における広告情報出力装置の機能ブロック図
【図５】実施形態２における広告情報出力装置の動作を説明するフローチャート
【図６】実施形態３における広告情報出力装置の機能ブロック図
【図７】実施形態３における広告情報出力装置の動作を説明するフローチャート
【図８】実施形態３における画面の遷移の一例図
【図９】実施形態４における広告情報出力装置の機能ブロック図
【図１０】実施形態４における広告情報出力装置の動作を説明するフローチャート
【図１１】実施形態５における広告情報出力装置の機能ブロック図
【図１２】実施形態５における画面遷移の一例図
【図１３】実施形態６における広告情報出力装置の機能ブロック図
【図１４】実施形態６における画面遷移の一例図
【符号の説明】
１００　広告情報出力装置
１０１　番組出力部
１０２　番組情報検索部
１０３　広告情報出力部
１０４　ポイント算定部
【図１】
2004013419.tif 000003
【図２】
2004013419.tif 000004
【図３】
2004013419.tif 000005
【図４】
2004013419.tif 000006
【図５】
2004013419.tif 000007
【図６】
2004013419.tif 000008
【図７】
2004013419.tif 000009
【図８】
2004013419.tif 000010
【図９】
2004013419.tif 000011
【図１０】
2004013419.tif 000012
【図１１】
2004013419.tif 000013
【図１２】
2004013419.tif 000014
【図１３】
2004013419.tif 000015
【図１４】
2004013419.tif 000016